(57)【特許請求の範囲】
【請求項１】
静止機器から外部へ一旦引き出された後に配電盤の開口部から内部へ引き込まれる通電導体の外周を覆う筒状のケーブルダクトが前記配電盤に耐振的に接続される構造であって、内周側の貫通穴を前記通電導体が貫通する枠状の弾性体が設けられ、この弾性体の外周縁部が前記配電盤の開口部の縁部に固着されるとともに、前記弾性体の貫通穴の縁部がケーブルダクトの端部に固着されてなることを特徴とするケーブルダクトの耐振接続構造。
【発明の詳細な説明】
【０００１】
【発明の属する技術分野】
この発明は、変圧器などの静止機器から外部へ一旦引き出された後に配電盤の内部へ引き込まれる通電導体の外周を覆うケーブルダクトが配電盤に耐振的に接続される構造に関し、特に、配電盤のサイズや重量が小さくて済むケーブルダクトの耐振接続構造に関する。
【０００２】
【従来の技術】
変圧器などの静止機器から外部へ一旦引き出された後に配電盤の内部へ引き込まれる通電導体の外周を覆う筒状のケーブルダクトが配電盤に接続される場合、ケーブルダクトの接続を耐振構造にしておかないと、変圧器などの振動が配電盤側へ伝達して、配電盤に収納されている制御機器などが誤動作を引き起こしたり、損傷を受けたりする。したがって、一般的には、ケーブルダクトの配電盤への接続は耐振構造となっている。
【０００３】
図７は、従来のケーブルダクトの耐振接続構造の全体構成を示す側面図である。配電盤４１が静止機器である変圧器１の側面に支え４２を介して固定されている。配電盤４１の側面板４１Ａには図示されていない貫通穴が明けられ、この貫通穴を介して変圧器１から引き出された図示されていない通電導体が配電盤４１の内部へ挿入されている。角筒形のケーブルダクト３は前記通電導体の外周を覆うとともに、変圧器１から外部へ一旦引き出された後ケーブルダクト３Ａの様に直角に折り曲げられ、ケーブルダクト３Ａの奥行き側の端部が側面板４１Ａに固定されている。
【０００４】
図７の構成は、耐振構造になっている。すなわち、配電盤４１の内部に図示されていない防振ゴムなどの弾性体を介して内フレームが設けられ、この内フレームに制御機器など配電盤内蔵の機器が取り付けられている。ケーブルダクト３Ａおよび変圧器１が振動して配電盤４１自体が揺さぶられても、その振動を配電盤４１の内部の弾性体が吸収するので内フレームおよびこの内フレームに取り付けられた配電盤内蔵の機器が振動するのを抑えることができる。なお、通電導体は図示されていない可撓性導体を介して配電盤４１内部へ挿入されるので、通電導体の振動が配電盤内蔵の機器を振動させることはない。
【０００５】
【発明が解決しようとする課題】
しかしながら、従来の，配電盤の内部に弾性体を介して内フレームに制御機器などが取り付けられてなる構成の耐振接続構造は、配電盤全体のサイズや重量を大きくするという問題があった。
すなわち、ケーブルダクトの耐振接続構造として、内フレームが必要なために配電盤全体のサイズや重量が大きくなり、配電盤コストの上昇を招いていた。
【０００６】
この発明の目的は、ケーブルダクトを弾性体を介して配電盤の側面板に直接取り付けられるようにして内フレームを必要としないケーブルダクトの耐振接続構造を提供することにある。
【０００７】
【課題を解決するための手段】
上記目的を達成するために、この発明によれば、静止機器から外部へ一旦引き出された後に配電盤の開口部から内部へ引き込まれる通電導体の外周を覆う筒状のケーブルダクトが前記配電盤に耐振的に接続される構造であって、内周側の貫通穴を前記通電導体が貫通する枠状の弾性体が設けられ、この弾性体の外周縁部が前記配電盤の開口部の縁部に固着されるとともに、前記弾性体の貫通穴の縁部がケーブルダクトの端部に固着されてなるようにするとよい。それによって、静止機器側からの振動がケーブルダクトを伝搬して来ても弾性体がその振動を吸収するので、配電盤側へは振動が伝わらなくなる。したがって、内フレームがなくてもケーブルダクトからの振動を抑えることができる。
【０００８】
【発明の実施の形態】
以下、この発明を実施例に基づいて説明する。図１は、この発明の実施例にかかるケーブルダクトの耐振接続構造の構成を示す要部断面図である。貫通穴５Ａが形成された枠状の弾性体５の外周縁部が、スタッドボルト１０とナット１１とでもって配電盤２の開口部２Ｂの縁部に固定され、弾性体５の貫通穴５Ａの縁部が、スタッドボルト９とナット１２とでもってケーブルダクト６の端部に固着されいる。なお、通電導体は図示されていないが、ケーブルダクト６からの通電導体が可撓性導体を介して開口部２Ｂを貫通し配電盤２の内部へ引き込まれる構成になっている。
【０００９】
図２の（Ａ）は図１のＡ矢視図であり、図２の（Ｂ）は図１のケーブルダクトの耐振接続構造を除外し配電盤２の開口部２Ｂだけを示すＡ矢視図である。図２の（Ａ）において、ケーブルダクト６は角筒形状であり、端部につば部６Ａが形成されている。弾性体５の外周縁部が６個所でボルト止めされるとともに弾性体５の貫通穴５Ａの縁部も６個所でボルト止めされている。そのために、図２の（Ｂ）における側面板２Ａには開口部２Ｂの縁部にボルト穴２Ｈが６個所明けられ、このボルト穴２Ｈには図示されていないスタッドボルトの軸部が図の向こう側から手前側へ貫通する。なお、図２の（Ａ）のＢ−Ｂ断面が図１に対応する。
【００１０】
図３は、図１の要部分解断面図である。弾性体５の外周縁部が、配電盤２の側面板２Ａと押さえ板７とでもって挟持され、弾性体５の貫通穴５Ａの縁部が、押さえ板８とケーブルダクト６のつば部６Ａとでもって挟持されている。
【００１１】
図４の（Ａ）は図１の押さえ板８を示すＡ矢視図であり、図４の（Ｂ）は図１の弾性体５を示すＡ矢視図であり、図４の（Ｃ）は図１の押さえ板７を示すＡ矢視図である。図４の（Ａ）において、押さえ板８は枠状の金属板からなり、弾性体５の貫通穴５Ａとほぼ同じ大きさの穴８Ａが貫通している。押さえ板８の周囲の６個所にはボルト穴８Ｈが貫通している。また、図４の（Ｂ）において、弾性体５は枠状のシート状のゴム材からなり、弾性体５の外周側の６個所にはボルト穴５Ｈが貫通している。また、弾性体５の貫通穴５Ａの縁部の６個所にはボルト穴５Ｊが貫通している。さらに、図４の（Ｃ）において、押さえ板７も枠状の金属板からなり、押さえ板８の外周より若干大き目の穴７Ａが貫通している。押さえ板７の周囲の６個所にもボルト穴７Ｈが貫通している。
【００１２】
図３に戻り、ケーブルダクト６を配電盤２に接続する場合は、次のようにして実施される。側面板２Ａのボルト穴２Ｈにスタッドボルト１０の軸部を貫通させるとともにスタッドボルト１０の頭部と側面板２Ａとを溶接により予め固着させておく。一方、押さえ板８のボルト穴８Ｈにもスタッドボルト９の軸部を貫通させるとともにスタッドボルト９の頭部と押さえ板８とを溶接により予め固着させておく。押さえ板８と弾性体５とつば部６Ａとを積層させるとともに、スタッドボルト９の軸部を弾性体５のボルト穴５Ｊとつば部６Ａのボルト穴６Ｈとに通した後、ナット１２でもって締め付ける。次に、弾性体５を側面板２Ａに接面させるとともに、押さえ板７を弾性体５に接面させ、スタッドボルト１０の軸部を弾性体５のボルト穴５Ｈと押さえ板７のボルト穴７Ｈとに通した後、ナット１１でもって締め付ける。それによって、図１の構成が得られる。
【００１３】
図１は配電盤１とケーブルダクト６とが弾性体５を介して接続される構成なので、ケーブルダクト６の振動が配電盤２へ伝わることはない。したがって、従来の耐振接続構造におけるような内フレームが不要なので、配電盤全体のサイズや重量が大きくなることがなくなり、配電盤２のコストの上昇を抑えることができる。
【００１４】
図５の（Ａ）は、図１に示す配電盤２の開口部２Ｂを塞ぐ構成を示す要部断面図であり、図５の（Ｂ）は図５の（Ａ）の塞ぎ板１３の構成を示すＥ矢視図である。図５の（Ａ）は、配電盤２を輸送する場合や、その開口部２Ｂを使用しない場合に開口部２Ｂを塞ぐための構成である。すなわち、弾性体５を側面板２Ａに接面させておくとともに金属製の塞ぎ板１３を弾性体５に接面させることによって開口部２Ｂが塞がれている。図５の（Ｂ）の塞ぎ板１３の外周部には、弾性体５の外周部のボルト穴５Ｈ（図４）と同じ位置にボルト穴１３Ｈが設けられてある。図５の（Ａ）において、スタッドボルト１０の軸部を弾性体５のボルト穴５Ｈと塞ぎ板１３のボルト穴１３Ｈとに通した後、ナット１１でもって締め付ける。この構成によって、開口部２Ｂを簡単に塞ぐことができる。
【００１５】
図６は、この発明の実施例にかかるケーブルダクトの耐振接続構造の全体構成を示す側面図であり、静止機器だる変圧器１と、ケーブルダクト６と、配電盤２との接続構成を示しており、この内、ケーブルダクト６と配電盤２との耐振接続構造の詳細は上述の図１〜５により示されている。この図６の構成では、図７のような，配電盤４１が変圧器１の側面に弾性体を介することなく支え４２を介して固定されるという従来の構成とは異なり、変圧器１の側面の下部に支え１Ａが取り付けられるとともに、配電盤２がこの支え１および変圧器１の側面にそれぞれ防振ゴムを介して固定されており、これにより、ケーブルダクト６と配電盤２との間の耐振接続構造に加えて、変圧器１と配電盤２との間の固定構造も耐振構造となっている。このような構成とすることにより、ケーブルダクト６の振動だけでなく、変圧器１の振動に対しても、配電盤２自体の振動が抑制され、従来の耐振接続構造におけるような配電盤内に弾性体を介して内フレームを設けるという構成を不要としている。
【００１６】
なお、上述の構成とは異なるが、配電盤の側面板とケーブルダクトとが弾性体を介して接続される構成としては他にも考えられる。
【００１７】
図８は、従来の異なるケーブルダクトの耐振接続構造を示す要部断面図であり、特開昭６０−２２３０７で公開された構成である。配電盤２の側面板２Ａに形成された開口部２Ｂの縁部に角筒部２Ｃが取り付けられ、この角筒部２Ｃの右端につば部２Ｄが取り付けられている。一方、ケーブルダクト１４の左端にはＬ形のつば部１４Ａが取り付けられ、つば部２Ｃと１４Ａとの間には、Ｚ形の受け金具１９と防振ゴムブロック１８とが介装されている。ケーブルダクト１４内には、通電導体１５が収納され、可撓性導体１７を介して通電導体１６に導電接続され、配電盤２内部の図示されていない内蔵機器に接続されている。防振ゴムブロック１８に段付き穴１８Ａが明けられ、ボルト２２をこの段付き穴１８Ａに挿入させ、ボルト２２の頭部を段付き穴１８Ａの段部に載せるとともにボルト２２の軸部を防振ゴムブロック１８の左側へ貫通させてある。ボルト２２の軸部は、さらに受け金具１９とつば部２Ｄとを貫通し、ナット２１でもって防振ゴムブロック１８と受け金具１９とつば部２Ｄとが締め付けられている。なお、つば部１４Ａの左端には干渉金具２０が取り付けられ、ケーブルダクト１４が右方へ移動するのを防いでいる。
【００１８】
図９は、図８のＤ矢視図である。だだし、ケーブルダクト１４とそのつば部１４Ａは除外してある。防振ゴムブロック１８は８個からなり、それぞれ受け金具１９を介してつば部２Ｄに当てられている。配電盤の側面板２Ａの開口部２Ｂには、３本の通電導体１６が貫通している。なお、図９のＣ−Ｃ断面が図８に対応する。
【００１９】
図８に戻り、ケーブルダクト１４の振動は防振ゴムブロック１８でもって吸収されるので配電盤側へ振動が伝搬することはない。しかも、配電盤の側面板２Ａの部分でケーブルダクト１４からの振動が吸収されるので、内フレームなどは不要であり、配電盤全体のサイズや重量が大きくなることはない。
【００２０】
図８のケーブルダクトの耐振接続構造を図１の場合と比べると、図８の防振ゴムブロック１８は複数のブロック状であるが、図１の弾性体５は一枚の枠状の  シートである点が大きく異なる。そのために、図８における防振ゴムブロック１８を固定するためにつば部２Ｄを配電盤の側面板２Ａから右側（外部側）へかなり突出させねばならず、ケーブルダクト１４の耐振接続構造の長さがどうしても大きくなる。一方、図１の弾性体５は配電盤の側面板２Ａに直接ボルト止めされるのでケーブルダクト６の耐振接続構造の長さが短くて済む。
【００２１】
【発明の効果】
この発明は前述のように、内周側の貫通穴を通電導体が貫通する枠状の弾性体が設けられ、この弾性体の外周縁部が配電盤の開口部の縁部に固着されるとともに、弾性体の貫通穴の縁部がケーブルダクトの端部に固着されるようにすることによって、配電盤全体のサイズや重量が小さくなり、配電盤のコストが低減される。
【図面の簡単な説明】
【図１】この発明の実施例にかかるケーブルダクトの耐振接続構造の構成を示す要部断面図
【図２】（Ａ）は図１のＡ矢視図であり、（Ｂ）は図１のケーブルダクトの耐振接続構造を除外し配電盤の開口部だけを示すＡ矢視図
【図３】図１の要部分解断面図
【図４】（Ａ）は図１の押さえ板８を示すＡ矢視図であり、（Ｂ）は図１の弾性体を示すＡ矢視図、（Ｃ）は図１の押さえ板７を示すＡ矢視図
【図５】（Ａ）は、図１に示す配電盤の開口部を塞ぐ構成を示す要部断面図であり、（Ｂ）は図５の（Ａ）の塞ぎ板の構成を示すＥ矢視図
【図６】この発明の実施例にかかるケーブルダクトの耐振接続構造の全体構成を示す側面図
【図７】従来のケーブルダクトの耐振接続構造の全体構成を示す側面図
【図８】従来の異なるケーブルダクトの耐振接続構造を示す要部断面図
【図９】図７のＤ矢視図
【符号の説明】
２：配電盤、２Ａ：側面板、２Ｂ：開口部、５：弾性体、５Ａ：貫通穴、６：ケーブルダクト、６Ａ：つば部、７，８：押さえ板、９，１０：スタッドボルト、１１，１２：ナット、１３：塞ぎ板
【図１】
0003614052.tif 000002
【図２】
0003614052.tif 000003
【図３】
0003614052.tif 000004
【図４】
0003614052.tif 000005
【図５】
0003614052.tif 000006
【図６】
0003614052.tif 000007
【図７】
0003614052.tif 000008
【図８】
0003614052.tif 000009
【図９】
0003614052.tif 000010